(57)【特許請求の範囲】
【請求項１】
カラー画像データの所定数のラインごとに部分画像が低彩度であるか否かを判定する色判定部と、
前記色判定部により低彩度ではないと判定された前記部分画像にコードパターンを付加するパターン付加処理部と、
前記色判定部により前記部分画像が低彩度であると判定された回数をカウントし、前記色判定部により前記部分画像が低彩度ではないと判定された場合にカウントをリセットするカウント部とを備え、
前記色判定部は、前記部分画像を構成するすべての画素の彩度が所定の閾値未満である場合、前記部分画像が低彩度であると判定し、
前記パターン付加処理部は、前記カウント部によるカウント値が所定の閾値以上である場合、前記部分画像に前記コードパターンを付加せず、前記カウント部によるカウント値が所定の閾値以上ではない場合、前記部分画像に前記コードパターンを付加すること、
を特徴とする画像処理装置。
【請求項２】
前記閾値は、前記コードパターンのライン数以上の所定の値であることを特徴とする請求項１記載の画像処理装置。
【請求項３】
前記閾値は、前記コードパターンのライン数の２倍以上の所定の値であることを特徴とする請求項１記載の画像処理装置。
【請求項４】
前記色判定部は、カラー画像データの１ラインごとに部分画像が低彩度であるか否かを判定することを特徴とする請求項１から請求項３のうちのいずれか１項記載の画像処理装置。
【請求項５】
請求項１から請求項４のうちのいずれか１項記載の画像処理装置を備えることを特徴とする画像形成装置。
【請求項６】
カラー画像データの所定数のラインごとに部分画像が低彩度であるか否かを判定する色判定ステップと、
低彩度ではないと判定された前記部分画像にコードパターンを付加するパターン付加ステップと、
前記色判定ステップにおいて前記部分画像が低彩度であると判定された回数をカウントし、前記色判定ステップにおいて前記部分画像が低彩度ではないと判定された場合にカウントをリセットするカウントステップとを備え、
前記色判定ステップでは、前記部分画像を構成するすべての画素の彩度が所定の閾値未満である場合、前記部分画像が低彩度であると判定し、
前記パターン付加ステップでは、前記カウント値が所定の閾値以上である場合、前記部分画像に前記コードパターンを付加せず、前記カウント値が所定の閾値以上ではない場合、前記部分画像に前記コードパターンを付加すること、
を特徴とする画像処理方法。
【発明の詳細な説明】
【技術分野】
【０００１】
本発明は、画像処理装置、画像形成装置、および画像処理方法に関するものである。
【背景技術】
【０００２】
近年、原稿画像に忠実なコピーを提供する高画質なデジタルカラー複写機が実用化されている。このため、簡単に紙幣や有価証券などが複写され、偽造されるおそれがある。これに対処する偽造防止手段としては、原稿台上にセットされた原稿が複写禁止されているものであるか否かを判別して複写動作を停止したり、正常なコピーができなくしたりする機能が考えられる。しかし全世界の紙幣や有価証券、トラベラーズチェック、小切手、公文書などの原稿に対して、これらの特徴をすべて記憶して、パターンマッチングに基づき複写を禁止することは、記憶容量、処理時間、新札対応などの観点から事実上不可能である。 
【０００３】
そこで、ある複写機は、複写そのものを禁止せずに、複写物自体に通常では目に見えない特殊なコードパターン（いわゆる追跡パターン）を書き込み、複写に使用された機械のメーカー、機種名、シリアルナンバー、複写日時などの情報を特定可能にしている。例えば、追跡パターンを、所定のブロック内におけるイエローのドットパターンとして書き込む技術がある。追跡パターンの付加による出力画像の劣化を最小限に抑えるために、一般的にはイエローの色材が追跡パターンの付加に使用される。
【０００４】
また、スキャナー等の画像入力装置によって読み取ることにより、印刷物からの追跡パターンの抽出およびその追跡パターンの解析が可能であることが求められるため、入力される濃度データに応じて画素の濃度データを変調することによりパターンの付加を行う技術が提案されている（例えば特許文献１，２参照）。
【０００５】
また、近年、領域分離技術と呼ばれる技術が普及しつつある（例えば特許文献３参照）。領域分離技術とは原稿画像中から黒文字や色文字、写真や網点などの領域を検出する技術で、領域分離技術によれば、原稿画像に応じて最適な画像処理を行うことができる。例えば、ビジネス文書などのように黒文字が主体の原稿画像に対しては領域分離技術によって黒文字領域を検出し、検出された黒文字領域はカラーコピーであってもブラックトナーのみで再現することで文字をシャープに再現するとともに不必要なトナーの消費を抑えることができる。
【先行技術文献】
【特許文献】
【０００６】
【特許文献１】特開平０７−１５４５８５号公報
【特許文献２】特開平０６−０６２２１７号公報
【特許文献３】特開２００５−３９４５３号公報
【発明の概要】
【発明が解決しようとする課題】
【０００７】
カラー複写機、カラー複合機などの画像形成装置においては、通常、原稿の内容に拘わらずユーザーがカラーコピー機能を実行した場合、上述のような技術を用いて追跡パターンの付加が常に行われる。一般的に、複写が禁止されている原稿はカラー原稿であり、そのような原稿を不正に複写する場合、カラーコピーが行われるため、カラーコピー時に、常に追跡パターンが出力画像に付加される。これにより、確実に偽造の追跡を行える。
【０００８】
このため、カラー画像形成装置において、カラーコピーが実行される場合、原稿がすべてモノクロであっても、追跡パターンが付加されてしまう。例えば、カラー原稿とモノクロ原稿とが混在する場合、一律にカラーコピーが実行されると、モノクロ原稿にも追跡パターンが付加されてしまう。また、原稿にカラーの部分とモノクロの部分とが混在する場合であっても、カラーコピーが実行されると、モノクロの部分にも追跡パターンが付加されてしまう。
【０００９】
また、上述の領域分割技術によって原稿内容に応じて最適な画像処理を行う画像形成装置においては、ユーザーが特に意識しなくてもトナーの消費を抑え最適な画像が得られるためビジネス文書のように黒文字主体の原稿でもカラーコピーで複写を行うことが多くなることが考えられる。その場合、モノクロ原稿あるいはビジネス文書のように黒文字主体の原稿で、複写が禁止されていない原稿をコピーする場合にも追跡パターンが付加されることになる。このため、追跡パターンの付加に使用するイエロートナーが多く消費されてしまう。したがって、ユーザーが追跡パターンの付加を認識していない場合には、ユーザーにとっては理由もわからないままにイエロートナーが消費されていってしまう。
【００１０】
なお、ＡＣＳ機能（自動カラー原稿判別機能）を利用してモノクロ領域とカラー領域とを分別することも考えられるが、ＡＣＳ機能を使用したコピーでは、原稿判別結果に応じて、画像のカラー領域とモノクロ領域とで異なる画像処理が行われるため、画像データを一旦ページメモリー等に格納することになり、複写や印刷のスループットが低下する可能性がある。
【００１１】
本発明は、上記の問題に鑑みてなされたものであり、スループットを低下させずに印刷時のトナー消費が抑えられるようにしつつ、特定の情報を有するコードパターンを画像に付加する画像処理装置、画像形成装置および画像処理方法を得ることを目的とする。
【課題を解決するための手段】
【００１２】
上記の課題を解決するために、本発明では以下のようにした。
【００１３】
本発明に係る画像処理装置は、カラー画像データの所定数のラインごとに部分画像が低彩度であるか否かを判定する色判定部と、色判定部により低彩度ではないと判定された部分画像にコードパターンを付加するパターン付加処理部と、色判定部により部分画像が低彩度であると判定された回数をカウントし、色判定部により部分画像が低彩度ではないと判定された場合にカウントをリセットするカウント部とを備える。色判定部は、部分画像を構成するすべての画素の彩度が所定の閾値未満である場合、部分画像が低彩度であると判定する。そして、パターン付加処理部は、カウント部によるカウント値が所定の閾値以上である場合、その部分画像にコードパターンを付加せず、カウント部によるカウント値が所定の閾値以上ではない場合、その部分画像にコードパターンを付加する。
【００１４】
これにより、所定数のラインを単位として順番に画像処理を行っていくとともに所定数のラインを単位として高彩度部分（カラー部分）と判定した上でコードパターンを付加するため、スループットを低下させることなく印刷時のトナー消費が抑えられるようにしつつコードパターンが画像に付加される。また、印刷物からコードパターンを検出しやすい低彩度部分の一部にもコードパターンが付加されるため、印刷物からコードパターンが検出しやすくなる。
【００１７】
また、本発明に係る画像処理装置は、上記の画像処理装置に加え、次のようにしてもよい。この場合、上述の閾値は、コードパターンのライン数以上の所定の値である。
【００１８】
これにより、少なくとも１つのコードパターンを付加することができる。
【００１９】
また、本発明に係る画像処理装置は、上記の画像処理装置のいずれかに加え、次のようにしてもよい。この場合、上述の閾値は、コードパターンのライン数の２倍以上の所定の値である。
【００２０】
これにより、コードパターンの開始位置（副走査方向における位置）が固定的に決まっている場合でも、少なくとも１つのコードパターンを付加することができる。
【００２２】
また、本発明に係る画像処理装置は、上記の画像処理装置のいずれかに加え、次のようにしてもよい。この場合、色判定部は、カラー画像データの１ラインごとに部分画像が低彩度であるか否かを判定する。
【００２３】
本発明に係る画像形成装置は、上記の画像処理装置のいずれかを備える。
【００２４】
本発明に係る画像処理方法は、カラー画像データの所定数のラインごとに部分画像が低彩度であるか否かを判定する色判定ステップと、低彩度ではないと判定された部分画像にコードパターンを付加するパターン付加ステップと、色判定ステップにおいて部分画像が低彩度であると判定された回数をカウントし、色判定ステップにおいて部分画像が低彩度ではないと判定された場合にカウントをリセットするカウントステップとを備える。色判定ステップでは、部分画像を構成するすべての画素の彩度が所定の閾値未満である場合、部分画像が低彩度であると判定する。そして、パターン付加ステップでは、上述のカウント値が所定の閾値以上である場合、部分画像にコードパターンを付加せず、上述のカウント値が所定の閾値以上ではない場合、部分画像にコードパターンを付加する。
【００２５】
これにより、所定数のラインを単位として順番に画像処理を行っていくとともに所定数のラインを単位として高彩度部分（カラー部分）と判定した上でコードパターンを付加するため、スループットを低下させることなく印刷時のトナー消費が抑えられるようにしつつコードパターンが画像に付加される。
【発明の効果】
【００２６】
本発明によれば、スループットを低下させずに印刷時のトナー消費が抑えられるようにしつつコードパターンが画像に付加される。
【図面の簡単な説明】
【００２７】
【図１】図１は、本発明の実施の形態に係る画像処理装置の構成を示すブロック図である。
【図２】図２は、図１における追跡パターン付加処理部の構成を示すブロック図である。
【図３】図３は、図１に示す画像処理装置の動作を説明するフローチャートである。
【図４】図４は、図３における追跡パターン付加判定（ステップＳ２）の処理を説明するフローチャートである。
【図５】図５は、図１に示す画像処理装置による追跡パターン付加の具体例を示す図である。
【図６】図６は、図１に示す画像処理装置による追跡パターン付加の別の具体例を示す図である。
【発明を実施するための形態】
【００２８】
以下、図に基づいて本発明の実施の形態を説明する。
【００２９】
図１は、本発明の実施の形態に係る画像処理装置の構成を示すブロック図である。この画像処理装置は、例えば、複写機、複合機などの画像形成装置に内蔵され、偽造物などの出所を特定するための追跡パターンの付加に使用される。追跡パターンは、コードパターンの一例である。
【００３０】
図１に示す画像処理装置は、画像データ読み出し部１、色判定部２、カウント部３、および追跡パターン付加処理部４を有する。画像データ読み出し部１、色判定部２、カウント部３、および追跡パターン付加処理部４は、例えば、ＣＰＵ（Central Processing Unit）、ＲＯＭ（Read Only Memory）、ＲＡＭ（Random Access Memory）などを有するコンピューターでプログラムを実行することにより実現される。その場合、ＲＡＭに１ページ分のカラー画像データが記憶され、画像データ読み出し部１は、そのＲＡＭから所定数のラインずつ（この実施の形態では、１ラインずつ）順番にカラー画像データを読み出す。
【００３１】
色判定部２は、画像データ読み出し部１により読み出された所定数のライン（この実施の形態では、１ライン）の部分画像が低彩度であるか否かを判定する。
【００３２】
この実施の形態では、色判定部２は、部分画像を構成するすべての画素の彩度が所定の閾値未満である場合、その部分画像が低彩度であると判定する。
【００３３】
例えば、ある画素の彩度は、その画素のＲＧＢ、ＣＭＹなどの色座標値のうちの最大値と最小値との差とされる。例えば、カラー画像データがＲＧＢデータである場合には、ある画素の色座標値を（Ｒ，Ｇ，Ｂ）とすると、彩度は、ＭＡＸ（Ｒ，Ｇ，Ｂ）−ＭＩＮ（Ｒ，Ｇ，Ｂ）とされる。画素が無色彩（モノクロ）の場合には、その画素の彩度はゼロとなる。
【００３４】
カウント部３は、色判定部２により部分画像が低彩度であると判定された回数をカウントし、色判定部２により部分画像が低彩度ではないと判定された場合にカウントをリセットする。カウント部３は、この判定結果を示すオン・オフ制御データを生成する。オン・オフ制御データの値は、このカウント値が所定の閾値以上である場合、追跡パターンを付加しないことを示す所定の第１値（例えば０）とされ、そうではない場合、追跡パターンを付加することを示す所定の第２値（例えば１）とされる。
【００３５】
追跡パターン付加処理部４は、少なくとも、色判定部２により低彩度ではないと判定された部分画像に追跡パターンを付加する。この実施の形態では、追跡パターン付加処理部４は、カウント部３によるオン・オフ制御データの値に基づいて、カウント部３によるカウント値が所定の閾値以上である場合、その部分画像に追跡パターンを付加せず、カウント部３によるカウント値が所定の閾値以上ではない場合、その部分画像に追跡パターンを付加する。
【００３６】
例えば、上述の閾値は、追跡パターンのライン数以上の所定の値（例えば、追跡パターンのライン数と同一）とされる。あるいは、上述の閾値は、追跡パターンのライン数の２倍以上の所定の値（例えば、追跡パターンのライン数の２倍と同一）とされる。
【００３７】
図２は、図１における追跡パターン付加処理部４の構成を示すブロック図である。図２に示す追跡パターン付加処理部４は、濃度変調部１１、追跡パターン生成部１２、およびデータセレクト部１３を有する。
【００３８】
濃度変調部１１は、画像に付加される追跡パターンの濃度を導出する。この濃度は、固定値でもよいし、例えば特許文献１，２記載の方法と同様にして、画像データ読み出し部１により読み出された所定数のライン（この実施の形態では１ライン）における画素の値から演算などにより導出されるようにしてもよい。
【００３９】
追跡パターン生成部１２は、読み出された所定数のライン分（この実施の形態では１ライン分）の画像データに付加する追跡パターンのドットパターン情報（つまり、追跡パターンの付加により画素値を変化させる画素の位置を示す情報）を生成する。
【００４０】
例えば、追跡パターン生成部１２は、ドットパターン情報として、所定数のライン分（この実施の形態では１ライン分）の画素のうち、追跡パターンを付加する画素については値１、追跡パターンを付加しない画素については値０とした、所定数のライン分（この実施の形態では１ライン分）の画素数と同数の２値データの配列を生成する。
【００４１】
１つの追跡パターンの付加に要するライン数が複数（例えば１０〜１００ライン）である場合、例えば、処理対象のラインのライン番号に応じて、追跡パターンを構成する複数ラインのうち、処理対象のラインについての追跡パターンの１ライン分が生成される。あるいは、追跡パターン生成部１２が、オン・オフ制御データの値を監視し、オン・オフ制御データの値が、追跡パターンを付加しないことを示す値から、追跡パターンを付加することを示す値へ切り換わったときのラインに追跡パターンの先頭ラインを付加し、以後、オン・オフ制御データの値が変化しない限り、追跡パターンの後続ラインを順番に付加していくようにしてもよい。
【００４２】
データセレクト部１３は、オン・オフ制御データおよび追跡パターン生成部１２の出力値に従って、画像データ読み出し部１により読み出された所定数のライン分（この実施の形態では１ライン）の画像データ、および濃度変調部１１により導出された画素値を有する画像データのいずれかを選択する。
【００４３】
ある所定数のライン（この実施の形態では１ライン）についてオン・オフ制御データが追跡パターンの付加を示している場合、データセレクト部１３は、その所定数のライン（この実施の形態では１ライン）については、追跡パターン生成部１２からのドットパターン情報により指定された画素については濃度変調部１１の出力値を使用する。一方、ある所定数のライン（この実施の形態では１ライン）についてオン・オフ制御データが追跡パターンの付加を示していない場合、データセレクト部１３は、その所定数のライン（この実施の形態では１ライン）については、読み出された画像データを選択し出力する。
【００４４】
例えば、オン・オフ制御データの値が、追跡パターンを付加する場合には１、追跡パターンを付加しない場合には０であり、ドットパターン情報の値が、追跡パターンを付加する画素については１、追跡パターンを付加しない画素については０である場合、データセレクト部１３は、画素ごとに、オン・オフ制御データの値とドットパターン情報の値との論理積を演算し、演算結果が１であれば、濃度変調部１１の出力値を出力し、演算結果が０であれば、画像データ読み出し部１により読み出された画像データの値を出力する。
【００４５】
次に、上記画像処理装置の動作について説明する。
【００４６】
図３は、図１に示す画像処理装置の動作を説明するフローチャートである。
【００４７】
画像データ読み出し部１が、カラー画像データをその先頭から順番に１ラインずつ読み出す（ステップＳ１）。
【００４８】
このラインに対して追跡パターンを付加するか否かの判定が、色判定部２およびカウント部３により行われる（ステップＳ２）。
【００４９】
ここで、追跡パターン付加判定（ステップＳ２）の詳細について説明する。図４は、図３における追跡パターン付加判定（ステップＳ２）の処理を説明するフローチャートである。
【００５０】
追跡パターン付加判定では、まず、色判定部２は、画像データ読み出し部１により読み出された１ラインの部分画像が低彩度であるか否かを判定し（ステップＳ１１）、その判定結果をカウント部３に通知する。
【００５１】
カウント部３は、その判定結果に基づき、色判定部２によりその部分画像が低彩度であると判定された場合には、カウンター値を１だけ増加させ（ステップＳ１２）、色判定部２によりその部分画像が低彩度ではないと判定された場合には、カウンター値を０にリセットする（ステップＳ１２）。なお、カウント部３は、１ページのカラー画像データの処理が開始される際にカウンター値の初期値を０にセットする。
【００５２】
そして、カウント部３は、現時点でのカウンター値が所定の閾値以上であるか否かを判定し（ステップＳ１４）、現時点でのカウンター値が所定の閾値以上である場合には、オン・オフ制御データの値を、追跡パターンを付加しないことを示す値とし（ステップＳ１５）、現時点でのカウンター値が所定の閾値以上ではない場合には、オン・オフ制御データの値を、追跡パターンを付加することを示す値とする（ステップＳ１６）。
【００５３】
このように追跡パターンを付加するか否かの判定が完了すると、追跡パターン付加処理部４は、オン・オフ制御データの値を参照し、そのラインに対して追跡パターンを付加するか否かを判定し（ステップＳ３）、追跡パターンを付加すると判定した場合には、そのラインに追跡パターンを付加し、追跡パターンを付加した画像データを出力する（ステップＳ４）。一方、追跡パターンを付加しないと判定した場合には、追跡パターン付加処理部４は、そのラインに追跡パターンを付加せず、画像データ読み出し部１からのそのラインの画像データをそのまま出力する。
【００５４】
このとき、追跡パターン付加処理部４では、各ラインについて、濃度変調部１１が、画像に付加される追跡パターンの濃度を導出し、追跡パターン生成部１２が、追跡パターンのドットパターン情報を生成しており、データセレクト部１３は、オン・オフ制御データにより指定されたラインに追跡パターンを付加する。
【００５５】
そして、画像データ読み出し部１は、このラインが１ページのカラー画像データの最後のラインであるか否かを判定し（ステップＳ５）、このラインが最後のラインではない場合には、ステップＳ１に戻り、後続の次のラインの画像データを読み出す。読み出された１ライン分の画像データは、同様に処理される。
【００５６】
このようにして、１ページのカラー画像データの最後のラインまで順番に処理され、最後のラインの処理が完了すると、１ページのカラー画像データについての処理が完了する。
【００５７】
ここで、具体例について説明する。
【００５８】
図５は、図１に示す画像処理装置による追跡パターン付加の具体例を示す図である。図５（Ａ）は、ページ画像を示す図である。図５（Ｂ）は、図５（Ａ）に示すページ画像において、追跡パターンが付加される箇所と追跡パターンが付加されない箇所を示す図である。
【００５９】
図５（Ａ）に示すページ画像には、有価証券のカラー画像１０１が含まれている。カラー画像１０１以外の部分は白色となっている。
【００６０】
このページ画像の場合、ページ先頭付近は、先頭ラインから白色（つまり、低彩度）のラインが連続しているため、カウント部３のカウンター値が増加していくが、カウント部３のカウンター値が閾値未満であるので、追跡パターンが付加される。そして、カウント部３のカウンター値が閾値以上になると、追跡パターンは付加されなくなる。白色のラインが継続している間は、カウント部３のカウンター値が増加していき、継続的に、カウント部３のカウンター値が閾値以上になり、追跡パターンは付加されない。
【００６１】
その後、カラー画像１０１を含むラインにおいて、低彩度ではないライン（つまり、カラーライン）が検出されると、カウンター値がリセットされ、追跡パターンの付加が開始される。カウンター値がリセットされ追跡パターンの付加が開始されると、低彩度のラインが上述の閾値以上連続しなければ、継続的に追跡パターンが付加される。
【００６２】
そして、カラー画像１０１を含むラインの処理がほぼ終了し、上述の閾値と同数の低彩度のラインが連続すると、カウント部３のカウンター値が閾値以上となり、追跡パターンは付加されなくなる。
【００６３】
以後、ページの最終ラインまで白色であるため、最終ラインまで継続的に追跡パターンは付加されない。
【００６４】
図６は、図１に示す画像処理装置による追跡パターン付加の別の具体例を示す図である。
【００６５】
図６（Ａ）は、ページ画像を示す図である。図６（Ｂ）は、図６（Ａ）に示すページ画像において、追跡パターンが付加される箇所と追跡パターンが付加されない箇所を示す図である。
【００６６】
図６（Ａ）に示すページ画像には、カラー写真画像２０１と、黒色の文字画像２０２が含まれている。その他の部分は白色となっている。
【００６７】
このページ画像の場合、ページ先頭付近は、カラー写真画像２０１が存在し、低彩度ではないライン（つまり、カラーライン）のラインが連続しているため、追跡パターンが付加される。カラー写真画像２０１を含むラインの範囲については、低彩度のラインが上述の閾値以上連続しなければ、継続的に追跡パターンが付加される。
【００６８】
そして、カラー写真画像２０１を含むラインの処理が終了すると、文字画像２０２の、低彩度のライン（ここではモノクロライン）が連続し、カウント部３のカウンター値が増加していく。そして、上述の閾値と同数の低彩度のラインが連続すると、カウント部３のカウンター値が閾値以上となり、追跡パターンは付加されなくなる。
【００６９】
以後、ページの最終ラインまで文字画像２０２か白色のモノクロラインであるため、最終ラインまで継続的に追跡パターンは付加されない。
【００７０】
以上のように、上記実施の形態によれば、色判定部２は、カラー画像データの１ラインごとにそのラインによる部分画像が低彩度であるか否かを判定し、追跡パターン付加処理部４は、色判定部２により低彩度ではないと判定された部分画像に追跡パターンを付加する。
【００７１】
これにより、１ラインを単位として順番に画像処理を行っていくとともに所定数のラインを単位として高彩度部分（カラー部分）と判定した上で追跡パターンを付加するため、ページメモリーへ１ページ分の画像データを展開する必要がない。このため、スループットを低下させることなく印刷時のトナー消費が抑えられるようにしつつコードパターンが画像に付加される。
【００７２】
なお、上述の実施の形態は、本発明の好適な例であるが、本発明は、これらに限定されるものではなく、本発明の要旨を逸脱しない範囲において、種々の変形、変更が可能である。
【００７３】
例えば、上記実施の形態において、色判定部２が所定数のラインによる部分画像が低彩度であるか否かを判定する場合、その所定数のライン（例えば１ライン）におけるカラー画素の連続数が閾値未満であれば低彩度であり、そうでなければ、低彩度ではないと判定するようにしてもよい。
【００７４】
また、上記実施の形態では、カラー画像データが１ラインずつ処理されているが、２ライン以上の所定のライン数ずつ処理されるようにしてもよい。
【産業上の利用可能性】
【００７５】
本発明は、例えば、偽造判定に使用される追跡パターンの付加に適用可能である。
【符号の説明】
【００７６】
２  色判定部
３  カウント部
４  追跡パターン付加処理部（パターン付加処理部の一例）
【図１】
0005575002.tif 000002
【図２】
0005575002.tif 000003
【図３】
0005575002.tif 000004
【図４】
0005575002.tif 000005
【図５】
0005575002.tif 000006
【図６】
0005575002.tif 000007